(57)【要約】      （修正有） 【課題】プラスチックフィルム袋等の開口側を開け易くするプラスチックフィルム袋のオープン具を提供する。【解決手段】押し面２に粘着性のあるエラストマー素材３が施され、接触面が円盤状で取っ手１０がついたずらし具４と弾力性や耐候性があり、すべり止め効果のある置台６を紐状体のもの７で一体化し、このずらし具４と置台６の間にプラスチックフィルム袋等の開口側をはさみ、取っ手１０のついた部分を持ち、ずらし具４をプラスチックフィルム袋等の閉塞側の方向へずらす。【選択図】図１
0003200990.tif 000002
【実用新案登録請求の範囲】
【請求項１】
プラスチックフィルム袋等の袋（９）の開口側（８）を開くためのオープン具（１）であって、プラスチックフィルム袋等の袋（９）の開口側（８）を置くための置台（６）と、この置台（６）に紐状体のもの（７）で連結されたずらし具（４）と、を備え、前記置台（６）の表面は弾力性があり、プラスチックフィルム袋等に対するすべり止め効果を有し、前記ずらし具（４）の押し面（２）は、プラスチックフィルム袋等の袋（９）に対するすべり止め効果を有していて、前記置台（６）の表面に置かれたプラスチックフィルム袋等の袋（９）の開口側（８）の表面側と裏面側とを剥離させる、ことを特徴とするオープン具。
【請求項２】
前記置台（６）の表面はスポンジ製であり、前記ずらし具（４）の押し面（２）は粘着性のあるエラストマー製（３）である、ことを特徴とする請求項１記載のオープン具。
【請求項３】
前記ずらし具（４）は、円盤状の本体と、この本体に設けられた取っ手部分（１０）とを有している、ことを特徴とする請求項１または２記載のオープン具。
【考案の詳細な説明】
【技術分野】
【０００１】
本考案は押す表面に例えば粘着性のあるエラストマー材質を使用したずらし具と、例えば弾力性や耐候性があり、すべり止め効果のあるスポンジゴム台からなるプラスチックフィルム袋等の袋の開口側を開くオープン具である。
【０００２】
スーパーなどの生鮮食品を扱う店では、サービスの一環としてナイロン袋等のロール器などが設置されているところが多い。買い物客はそれを切り取り使用するのだが、切り取られたプラスチックフィルム袋等の袋の開口側はしっかりと密着していて、開けるのに苦労する。まして、手先の不自由な人や、子供にとっては、なおさらのことである。そのため、ロール器のそばに濡らしたタオルや、水に浸したスポンジが置いてあるところもある。
プラスチックフィルム袋等は、生鮮食品などを買った時の使用頻度が高く欠かせないものになっている。しかし、プラスチックフィルム袋等の袋の開口側は強く密着しているので、開ける時に苦労する。そのため、お店ではナイロン袋等の袋の設置場所のそばに、濡らしたタオルやスポンジが用意されているところが多いが、衛生面の不安がある。
【０００３】
そこで特許文献１に記載されているような口を開け易く加工したプラスチックフィルム袋が開発されている。
【先行技術文献】
【特許文献】
【０００４】
【特許文献１】特開２００８−０１３２０３号
【考案の開示】
【考案が解決しようとする課題】
【０００５】
しかしながら、特許文献１に記載したようにプラスチックフィルム袋に特別の加工を施すとコストがかかってしまう。
【０００６】
本考案は、このような不便や不安を軽減するプラスチックフィルム袋等の袋の開口側を開くオープン具を提案する。
【課題を解決するための手段】
【０００７】
この問題を解決するためのプラスチックフィルム袋等の袋の開口側を開くオープン具は、プラスチックフィルム袋等の袋の開口側を開くためのオープン具であって、プラスチックフィルム袋等の袋の開口側を置くための置き台と、この置台に紐状体のもので連結されたずらし具と、を備え、前記置台の表面は弾力性があり、プラスチックフィルム袋等に対するすべり止め効果を有していて、前記置台の表面に置かれたプラスチックフィルム袋等の袋の開口側の表面側と裏面側とを剥離させるものでる。例えば、ずらし具の押し面がプラスチックフィルム袋等に対するすべり止め効果を有して円形になっており、その押し面には粘着性のあるエラストマー材質が施されている。その上部には、持ち易い取っ手が付いている。また、台の上に置いてプラスチックフィルム袋等の袋を挟むためのスポンジゴム台が紐状体のものでずらし具に連結され一体化していることを特徴とするプラスチックフィルム袋等の袋の開口側を開くオープン具である。
【考案の効果】
【０００８】
プラスチックフィルム袋等の袋の開口側を開くオープン具を使用するときは、置台又はスポンジゴム台を平らな台の上に置き、プラスチックフィルム袋等の開口側をそのスポンジゴム台の上に乗せ、ずらし具を少し押しつけるようにして、プラスチックフィルム袋等の袋の本体の袋状側の方向へずらす。ずらし具をプラスチックフィルム袋等の袋からはずせば、プラスチックフィルム袋等の袋の開口側は開口されている。置台又はスポンジゴム台は滑りにくい素材なので、台の上でしっかりと固定されるためずらし具を片手で簡単に操作できる。また、プラスチックフィルム袋だけでなく手提げのビニール袋にも活用できる。
【図面の簡単な説明】
【０００９】
【図１】プラスチックフィルム袋等の開口側を開くオープン具を正面から見た図
【図２】プラスチックフィルム袋等の開口側を開くオープン具を真上から見た図
【図３】プラスチックフィルム袋等の開口側を開くオープン具を裏面から見た図
【図４】プラスチックフィルム袋等の開口側を開くオープン具を分解した図
【図５】プラスチックフィルム袋等の開口側を開くオープン具の断面図
【図６】スポンジゴム台の上にプラスチックフィルム袋等を乗せた図
【図７】ずらし具をプラスチックフィルム袋等に押し当てた図
【図８】プラスチックフィルム袋等の開口側を開くオープン具のずらし具を押し当てプラスチックフィルム袋等の本体の閉塞側の方向へずらした図
【図９】プラスチックフィルム袋等の開口側を開くオープン具を外した図
【図１０】プラスチックフィルム袋等の開口側が開いている図
【考案を実施するための形態】
【００１０】
本考案のオープン具１は、ナイロン袋等の開口側８を開けやすくするものである。そのため、押し面２に粘着性のあるエラストマー材質３を使用したずらし具４と弾力性や耐候性があり、ナイロン袋にすべり止め効果のあるスポンジゴム台６を紐状のもの７で一体化させている。ずらし具４は押し面２の反対側い指で摘まむための取っ手１０を有している。
【００１１】
粘着性のあるずらし具４の押し面２と、すべり止め効果のあるスポンジゴム台６のスポンジゴム面５の間にプラスチックフィルム袋等の袋の開口側８をはさみ、ずらし具４をプラスチックフィルム袋等の本体９の閉塞側１１の方向にずらすことにより、プラスチックフィルム袋等の袋の開口側８が簡単に開く。
【符号の説明】
【００１２】
１プラスチックフィルム袋等のオープン具
２押し面（エラストマー）
３エラストマー素材
４ずらし具
５スポンジゴム面
６スポンジゴム台（置台）
７紐状のもの
８プラスチックフィルム袋等の袋の開口側
９プラスチックフィルム袋等の本体
１０取っ手部分
１１プラスチックフィルム袋等の袋の閉塞側
【図１】
0003200990.tif 000003
【図２】
0003200990.tif 000004
【図３】
0003200990.tif 000005
【図４】
0003200990.tif 000006
【図５】
0003200990.tif 000007
【図６】
0003200990.tif 000008
【図７】
0003200990.tif 000009
【図８】
0003200990.tif 000010
【図９】
0003200990.tif 000011
【図１０】
0003200990.tif 000012